【手続補正書】
【提出日】平成20年8月7日(2008.8.7)
【手続補正１】
【補正対象書類名】特許請求の範囲
【補正対象項目名】全文
【補正方法】変更
【補正の内容】
【特許請求の範囲】
【請求項１】
文字情報からなる患者の医療情報を表示する病院情報システムと、医用画像情報を表示する、前記病院情報システムとは別システムの医用画像蓄積システムとが接続される医療情報システムにおいて、
前記病院情報システムは、
前記医療情報を表示する第１の表示部と、
前記第１の表示部に所望の医療情報を表示させる指示を入力するための第１の指示入力装置と、
前記第１の表示部に表示される医療情報の識別情報を前記医用画像蓄積システムに送る指示を入力するための第２の指示入力装置と、
前記第１の表示部を制御する第１の制御部と、
を備え、
前記医用画像蓄積システムは、
前記医用画像情報を表示する第２の表示部と、
前記第２の表示部に所望の医用画像情報を表示させる指示を入力するための第３の指示入力装置と、
前記第２の表示部を制御する第２の制御部と、
を備え、
前記第２の指示入力装置から前記指示が入力された場合に、前記第１の制御部は、前記識別情報を前記医用画像蓄積システムに送信し、当該識別情報を受信した前記医用画像蓄積システムの前記第２の制御部は、当該識別情報に基づいて医用画像情報を前記第２の表示部に表示させるための制御を行うことを特徴とする医療情報システム。
【請求項２】
医用画像情報を表示する医用画像蓄積システムに接続され、文字情報からなる患者の医療情報を表示する、前記医用画像蓄積システムとは別システムの病院情報システムにおいて、
前記医療情報を表示する第１の表示部と、
前記第１の表示部に所望の医療情報を表示させる指示を入力するための第１の指示入力装置と、
前記第１の表示部に表示される医療情報の識別情報を前記医用画像蓄積システムに送る指示を入力するための第２の指示入力装置と、
前記第１の表示部を制御する第１の制御部と、
を備え、
前記第２の指示入力装置から前記指示が入力された場合に、前記第１の制御部は、前記識別情報を前記医用画像蓄積システムに送信することを特徴とする病院情報システム。
【請求項３】
医療情報を表示する病院情報システムに接続され、医用画像情報を表示する、前記病院情報システムとは別システムの医用画像蓄積システムにおいて、
前記医用画像情報を表示する第１の表示部と、
前記第１の表示部に所望の医用画像情報を表示させる指示を入力するための第１の指示入力装置と、
前記第１の表示部を制御する第１の制御部と、
を備え、
前記病院情報システムから識別情報を受信した場合に、前記第１の制御部は、当該識別情報に基づいて医用画像情報を前記第１の表示部に表示させるための制御を行うことを特徴とする医用画像蓄積システム。
【請求項４】
文字情報からなる患者の医療情報を表示する病院情報システムと、医用画像情報を表示する、前記病院情報システムとは別システムの医用画像蓄積システムとが接続される医療情報システムにおいて、
前記病院情報システムは、
前記医療情報を表示する第１の表示部と、
前記第１の表示部に所望の医療情報を表示させる指示を入力するための第１の指示入力装置と、
前記第１の表示部を制御する第１の制御部と、
を備え、
前記医用画像蓄積システムは、
前記医用画像情報を表示する第２の表示部と、
前記第２の表示部に所望の医用画像情報を表示させる指示を入力するための第２の指示入力装置と、
前記第２の表示部を制御する第２の制御部と、
を備え、
前記第１の指示入力装置から前記指示が入力された場合に、前記第１の制御部は、前記指示により選択された医療情報の識別情報を前記医用画像蓄積システムに送信し、当該識別情報を受信した前記医用画像蓄積システムの前記第２の制御部は、当該識別情報に基づいて医用画像情報を前記第２の表示部に表示させるための制御を行うことを特徴とする医療情報システム。
【請求項５】
医用画像情報を表示する医用画像蓄積システムに接続され、文字情報からなる患者の医療情報を表示する、前記医用画像蓄積システムとは別システムの病院情報システムにおいて、
前記医療情報を表示する第１の表示部と、
前記第１の表示部に所望の医療情報を表示させる指示を入力するための第１の指示入力装置と、
前記第１の表示部を制御する第１の制御部と、
を備え、
前記第１の指示入力装置から前記指示が入力された場合に、前記第１の制御部は、前記指示により選択された医療情報の識別情報を前記医用画像蓄積システムに送信することを特徴とする病院情報システム。
【請求項６】
前記病院情報システムは、前記第１の制御部の制御により前記第１の表示部に患者リスト及び検査リストを表示するものであり、
前記第１の指示入力装置は、前記患者リスト及び前記検査リストから所望の患者又は検査を選択するためのものであって、
表示された患者リストから所望の患者が前記第１の指示入力装置により選択された後、当該選択された患者の検査リストを表示し、当該表示された検査リストから所望の検査が前記第１の指示入力装置により選択された後、当該検査の医療情報を表示し、前記第２の指示入力装置からの指示入力があった場合に、前記第１の制御部は、表示されている医療情報の識別情報を前記医用画像蓄積システムに送ることを特徴とする請求項１記載の医療情報システム。
【請求項７】
前記第１の制御部は、前記第１の表示部に患者リスト及び検査リストを表示させる制御を行うものであり、
前記第１の指示入力装置は、前記患者リスト及び前記検査リストから所望の患者又は検査を選択するためのものであって、
表示された患者リストから所望の患者が前記第１の指示入力装置により選択された後、当該選択された患者の検査リストを表示し、当該表示された検査リストから所望の検査が前記第１の指示入力装置により選択された後、当該検査の医療情報を表示し、前記第２の指示入力装置からの指示入力があった場合に、前記第１の制御部は、表示されている医療情報の識別情報を前記医用画像蓄積システムに送ることを特徴とする請求項２記載の病院情報システム。
【請求項８】
前記病院情報システムは、前記第１の制御部の制御により前記第１の表示部に患者リスト及び検査リストを表示するものであり、
前記第１の指示入力装置は、患者リスト及び前記検査リストから所望の患者又は検査を選択するためのものであって、
表示された患者リストから所望の患者が前記第１の指示入力装置により選択された後、当該選択された患者の検査リストを表示し、当該表示された検査リストから所望の検査が前記第１の指示入力装置により選択されることにより、前記第１の制御部は、当該選択された検査の識別情報を前記医用画像蓄積システムに送ることを特徴とする請求項４記載の医療情報システム。
【請求項９】
前記病院情報システムは、前記第１の制御部の制御により前記第１の表示部に患者リスト及び検査リストを表示するものであり、
前記第１の指示入力装置は、患者リスト及び前記検査リストから所望の患者又は検査を選択するためのものであって、
表示された患者リストから所望の患者が前記第１の指示入力装置により選択された後、当該選択された患者の検査リストを表示し、当該表示された検査リストから所望の検査が前記第１の指示入力装置により選択されることにより、前記第１の制御部は、当該選択された検査の識別情報を前記医用画像蓄積システムに送ることを特徴とする請求項５記載の病院情報システム。
【請求項１０】
前記病院情報システムは、前記第１の制御部の制御により前記第１の表示部に患者リストを表示するものであり、
前記第１の指示入力装置は、前記患者リストから所望の患者を選択するためのものであって、
表示された患者リストから所望の患者が前記第１の指示入植装置により選択された後、当該選択された患者の検査から所定の条件を満たす検査を特定し、当該特定された検査の識別情報を前記第１の制御部は、前記医用画像蓄積システムに送ることを特徴とする請求項４記載の医療情報システム。
【請求項１１】
前記病院情報システムは、前記第１の制御部の制御により前記第１の表示部に患者リストを表示するものであり、
前記第１の指示入力装置は、前記患者リストから所望の患者を選択するためのものであって、
表示された患者リストから所望の患者が前記第１の指示入力装置により選択された後、当該選択された患者の検査から所定の条件を満たす検査を特定し、当該特定された検査の識別情報を前記第１の制御部は、前記医用画像蓄積システムに送ることを特徴とする請求項５記載の病院情報システム。
【請求項１２】
前記医療情報は読影レポートであることを特徴とする請求項１、４、６、８又は１０のいずれかに記載の医療情報システム。
【請求項１３】
前記医療情報は読影レポートであることを特徴とする請求項２、５、７、９又は１１のいずれかに記載の病院情報システム。
【請求項１４】
前記医療情報は読影レポートであることを特徴とする請求項３に記載の医用画像蓄積システム。
【請求項１５】
前記医療情報はカルテであることを特徴とする請求項１、４、６、８又は１０のいずれかに記載の医療情報システム。
【請求項１６】
前記医療情報はカルテであることを特徴とする請求項２、５、７、９又は１１のいずれかに記載の病院情報システム。
【請求項１７】
前記医療情報はカルテであることを特徴とする請求項３に記載の医用画像蓄積システム。
【請求項１８】
前記第２の指示入力装置は、前記第１の表示部の画面に表示されたボタンの操作により前記指示を入力可能とするものであることを特徴とする請求項１又は６のいずれかに記載の医療情報システム。
【請求項１９】
前記第２の指示入力装置は、前記第１の表示部の画面に表示されたボタンの操作により前記指示を入力可能とするものであることを特徴とする請求項２又は７のいずれかに記載の病院情報システム。
【請求項２０】
前記識別情報は検査の種類と検査日を表わすことを特徴とする請求項１、４、６、８又は１０のいずれかに記載の医療情報システム。
【請求項２１】
前記識別情報は検査の種類と検査日を表わすことを特徴とする請求項２、５、７、９又は１１のいずれかに記載の病院情報システム。
【請求項２２】
前記識別情報は検査の種類と検査日を表わすことを特徴とする請求項３に記載の医用画像蓄積システム。
【請求項２３】
前記所定の条件は、前記選択された患者に関し、当該患者の入院後の最初の当該患者の選択である場合に満たされるものであることを特徴とする請求項１０に記載の医療情報システム。
【請求項２４】
前記所定の条件は、前記選択された患者に関し、当該患者の退院後の最初の当該患者の選択である場合に満たされるものであることを特徴とする請求項１０に記載の医療情報システム。
【請求項２５】
前記所定の条件は、前記選択された患者に関し、当該患者の診察科変更後の最初の当該患者の選択である場合に満たされるものであることを特徴とする請求項１０に記載の医療情報システム。
【請求項２６】
前記所定の条件は、前記選択された患者に関し、当該患者の診察室変更後の最初の当該患者の選択である場合に満たされるものであることを特徴とする請求項１０に記載の医療情報システム。
【請求項２７】
前記所定の条件は、前記選択された患者に関し、当該患者の病棟変更後の最初の当該患者の選択である場合に満たされるものであることを特徴とする請求項１０に記載の医療情報システム。
【請求項２８】
前記所定の条件を満たす検査は、重要な画像としてマークされた医用画像情報を含む検査であることを特徴とする請求項１０に記載の医療情報システム。
【請求項２９】
前記所定の条件を満たす検査は、重要な検査としてマークされた検査であることを特徴とする請求項１０に記載の医療情報システム。
【請求項３０】
前記所定の条件を満たす検査は、医師よって参照されていない未参照の検査であることを特徴とする請求項１０に記載の医療情報システム。
【請求項３１】
前記所定の条件は、前記選択された患者に関し、当該患者の入院後の最初の当該患者の選択である場合に満たされるものであることを特徴とする請求項１１に記載の病院情報システム。
【請求項３２】
前記所定の条件は、前記選択された患者に関し、当該患者の退院後の最初の当該患者の選択である場合に満たされるものであることを特徴とする請求項１１に記載の病院情報システム。
【請求項３３】
前記所定の条件は、前記選択された患者に関し、当該患者の診察科変更後の最初の当該患者の選択である場合に満たされるものであることを特徴とする請求項１１に記載の病院情報システム。
【請求項３４】
前記所定の条件は、前記選択された患者に関し、当該患者の診察室変更後の最初の当該患者の選択である場合に満たされるものであることを特徴とする請求項１１に記載の病院情報システム。
【請求項３５】
前記所定の条件は、前記選択された患者に関し、当該患者の病棟変更後の最初の当該患者の選択である場合に満たされるものであることを特徴とする請求項１１に記載の病院情報システム。
【請求項３６】
前記所定の条件を満たす検査は、重要な画像としてマークされた医用画像情報を含む検査であることを特徴とする請求項１１に記載の病院情報システム。
【請求項３７】
前記所定の条件を満たす検査は、重要な検査としてマークされた検査であることを特徴とする請求項１１に記載の病院情報システム。
【請求項３８】
前記所定の条件を満たす検査は、医師よって参照されていない未参照の検査であることを特徴とする請求項１１に記載の病院情報システム。